(57)【要約】【課題】  個々の測定データにおける変化の様子（グラフ形状）を容易に観察することのできるトレンドグラフ表示方法および装置を実現する。【解決手段】  複数の測定データを任意の周期でサンプリングし、同一画面上にトレンドグラフ表示するトレンドグラフ表示方法において、各測定データ毎に任意のオフセット値を加算して表示することを特徴とする。【選択図】    図１
2005351832.tif 000002
【特許請求の範囲】
【請求項１】
複数の測定データを任意の周期でサンプリングし、同一画面上にトレンドグラフ表示するトレンドグラフ表示方法において、各測定データ毎に任意のオフセット値を加算して表示することを特徴とするトレンドグラフ表示方法。
【請求項２】
前記複数の測定データを任意のグループに分け、各グループ毎に共通のオフセット値を加算することを特徴とする請求項１に記載のトレンドグラフ表示方法。
【請求項３】
トレンドグラフとして表示する前記測定データは、複数の入力データの中から任意に選択されることを特徴とする請求項１または２に記載のトレンドグラフ表示方法。
【請求項４】
前記各測定データ毎に加算するオフセット値は、表示する測定データの数またはグループの数に応じて、これらが画面上に均等間隔に配置されるように設定されることを特徴とする請求項１乃至３のいずれかに記載のトレンドグラフ表示方法。
【請求項５】
前記オフセット値は、トレンドグラフ表示開始時における測定データの値を基に設定されることを特徴とする請求項４に記載のトレンドグラフ表示方法。
【請求項６】
前記オフセット値は、トレンドグラフ表示開始時における測定データの平均値を基に設定されることを特徴とする請求項５に記載のトレンドグラフ表示方法。
【請求項７】
複数の測定データを任意の周期でサンプリングし、同一画面上にトレンドグラフ表示するトレンドグラフ表示装置において、複数の測定データをサンプリングして取り込むサンプリング処理部と、前記サンプリング処理部により取り込まれた測定データに所定のオフセット値を加算してトレンドグラフデータを生成するトレンドデータ処理部と、前記トレンドデータ処理部により生成されたトレンドグラフデータを表示部に表示させる表示処理部と、前記サンプリング処理部およびトレンドデータ処理部の動作条件を設定するトレンドグラフ表示制御部とを具備してなるトレンドグラフ表示装置。
【請求項８】
前記トレンドグラフ表示制御部により、トレンドグラフとして表示する測定データの選択およびこの測定データのサンプリング周期を設定することを特徴とする請求項７に記載のトレンドグラフ表示装置。
【請求項９】
前記複数の測定データを任意のグループに分け、各グループ毎に共通のオフセット値を加算することを特徴とする請求項７または８に記載のトレンドグラフ表示装置。
【請求項１０】
前記各測定データ毎に加算するオフセット値は、表示する測定データの数またはグループの数に応じて、これらが画面上に均等間隔に配置されるように設定されることを特徴とする請求項７乃至９のいずれかに記載のトレンドグラフ表示装置。
【請求項１１】
前記オフセット値は、トレンドグラフ表示開始時における測定データの値を基に設定されることを特徴とする請求項１０に記載のトレンドグラフ表示装置。
【請求項１２】
前記オフセット値は、トレンドグラフ表示開始時における測定データの平均値を基に設定されることを特徴とする請求項１１に記載のトレンドグラフ表示装置。
【発明の詳細な説明】
【技術分野】
【０００１】
本発明は、プロセスの測定値などを定期的に読み取り、それを時系列の変化を表すグラフとして表示するトレンドグラフ表示方法および装置に関するものである。
更に詳しくは、同一画面上に複数のトレンドグラフを表示させた場合にも、グラフの重なりを防止して、個々のグラフの形状を容易に観察することのできるトレンドグラフ表示方法および装置に関するものである。
【背景技術】
【０００２】
図１０は、従来のトレンドグラフ表示装置の一例を示す構成図である。図において、１は複数のセンサや検出器などが接続されたプロセスデータ入力部、２はこのプロセスデータ入力部１を介して任意の測定データをサンプリングし、時系列のトレンドデータとして取り込むサンプリング処理部、４はサンプリング処理部２により取り込まれたトレンドデータをトレンドグラフとして表示部５に表示させる表示処理部である。６はトレンドグラフ表示を行う測定データ（チャネル）の選択やサンプリング周期などの設定を行うトレンドグラフ表示制御部である。なお、表示部５はタッチパネルなどよりなり、トレンドグラフ表示制御部６の入力手段としても利用される。
【０００３】
トレンドグラフを表示させる測定データ（チャネル）の選択やサンプリング周期などの設定は、表示部（タッチパネル）５を介して行われる。
例えば、チャネル１（ＣＨ１）、チャネル２（ＣＨ２）、チャネル３（ＣＨ３）を選択したとすると、サンプリング処理部２はチャネル１〜３に対応する測定データを取り込み、時系列のトレンドデータとして記憶する。
【０００４】
図１１は、上記の選択に応じて表示部５に表示されるトレンドグラフの一例を示す図である。
図に示されるように、各チャネルの測定データが時間軸を合わせて表示されるので、各プロセスデータにおける時系列の変化の様子を知ることができるとともに、各プロセスデータ間の関係を容易に観察することができる。
【０００５】
【特許文献１】特開平０６−２１３６８５号公報
【発明の開示】
【発明が解決しようとする課題】
【０００６】
しかしながら、このように各測定データのトレンドグラフを単に表示するだけの装置では、各測定データの値が近い場合には、各トレンドグラフが重なってしまい、グラフが見づらいとともに、個々の測定データにおける変化の様子（グラフ形状）を観察することが難しくなってしまう。
【０００７】
本発明は、上記のような従来装置の欠点をなくし、個々の測定データにおける変化の様子（グラフ形状）を容易に観察することのできるトレンドグラフ表示方法および装置を実現することを目的としたものである。
【課題を解決するための手段】
【０００８】
上記のような目的を達成するために、本発明の請求項１では、複数の測定データを任意の周期でサンプリングし、同一画面上にトレンドグラフ表示するトレンドグラフ表示方法において、各測定データ毎に任意のオフセット値を加算して表示することを特徴とする。
【０００９】
請求項２では、請求項１のトレンドグラフ表示方法において、前記複数の測定データを任意のグループに分け、各グループ毎に共通のオフセット値を加算することを特徴とする。
【００１０】
請求項３では、請求項１または２のトレンドグラフ表示方法において、トレンドグラフとして表示する前記測定データは、複数の入力データの中から任意に選択されることを特徴とする。
【００１１】
請求項４では、請求項１乃至３のいずれかのトレンドグラフ表示方法において、前記各測定データ毎に加算するオフセット値は、表示する測定データの数またはグループの数に応じて、これらが画面上に均等間隔に配置されるように設定されることを特徴とする。
【００１２】
請求項５では、請求項４のトレンドグラフ表示方法において、前記オフセット値は、トレンドグラフ表示開始時における測定データの値を基に設定されることを特徴とする。
【００１３】
請求項６では、請求項５のトレンドグラフ表示方法において、前記オフセット値は、トレンドグラフ表示開始時における測定データの平均値を基に設定されることを特徴とする。
【００１４】
請求項７では、複数の測定データを任意の周期でサンプリングし、同一画面上にトレンドグラフ表示するトレンドグラフ表示装置において、複数の測定データをサンプリングして取り込むサンプリング処理部と、前記サンプリング処理部により取り込まれた測定データに所定のオフセット値を加算してトレンドグラフデータを生成するトレンドデータ処理部と、前記トレンドデータ処理部により生成されたトレンドグラフデータを表示部に表示させる表示処理部と、前記サンプリング処理部およびトレンドデータ処理部の動作条件を設定するトレンドグラフ表示制御部とを具備してなる。
【００１５】
請求項８では、請求項７のトレンドグラフ表示装置において、前記トレンドグラフ表示制御部により、トレンドグラフとして表示する測定データの選択およびこの測定データのサンプリング周期を設定することを特徴とする。
【００１６】
請求項９では、請求項７または８のトレンドグラフ表示装置において、前記複数の測定データを任意のグループに分け、各グループ毎に共通のオフセット値を加算することを特徴とする。
【００１７】
請求項１０では、請求項７乃至９のいずれかのトレンドグラフ表示装置において、前記各測定データ毎に加算するオフセット値は、表示する測定データの数またはグループの数に応じて、これらが画面上に均等間隔に配置されるように設定されることを特徴とする。
【００１８】
請求項１１では、請求項１０のトレンドグラフ表示装置において、前記オフセット値は、トレンドグラフ表示開始時における測定データの値を基に設定されることを特徴とする。
【００１９】
請求項１２では、請求項１１のトレンドグラフ表示装置において、前記オフセット値は、トレンドグラフ表示開始時における測定データの平均値を基に設定されることを特徴とする。
【発明の効果】
【００２０】
このように、各測定データ毎に任意のオフセット値を加算して表示するようにすると、複数のトレンドグラフを同一画面上に間隔をおいて配置することができ、トレンドグラフ間の重なりを回避して、個々の測定データにおける変化の様子（グラフ形状）を容易に観察することのできるトレンドグラフ表示方法および装置を実現することができる。
また、各測定データ毎に加算するオフセット値を工夫することにより、複数のトレンドグラフを同一画面上に等間隔に配置することができる。
さらに、前記複数の測定データを任意のグループに分け、各グループ毎に共通のオフセット値を加算するようにすると、注目する測定データだけを独立に表示させたり、比較したい測定データ同士のみを重ねて表示したりすることができる。
【発明を実施するための最良の形態】
【００２１】
以下、図面を用いて、本発明のトレンドグラフ表示方法および装置を説明する。
【実施例１】
【００２２】
図１は、本発明のトレンドグラフ表示方法および装置の一実施例を示す構成図である。図において、前記図１０と同様のものは同一符号を付して示す。３はサンプリング処理部２により取り込まれた測定データに所定のオフセット値を加算してトレンドグラフデータを生成するトレンドデータ処理部である。表示処理部４はトレンドデータ処理部３により生成されたトレンドデータをトレンドグラフとして表示部５に表示させる。また、トレンドグラフ表示制御部６はトレンドグラフ表示を行う測定データ（チャネル）の選択やサンプリング周期などの設定を行うとともに、グループ化する測定データ（チャネル）の設定を行う。
【００２３】
トレンドデータ処理部３においては、同時に表示する測定データ数（チャネル数）に応じて、各測定データに加算するオフセット値を算出し、このオフセット値をサンプリング処理部２により取り込まれた測定データにそれぞれ加算して、時系列のトレンドデータとして記憶する。
【００２４】
図２は、トレンドデータ処理部３における動作の一実施例を示すフロー図である。なお、ここでは、複数の測定データをそれぞれ間隔をおいてトレンドグラフ表示する場合を例示して説明する。
図に示すように、同時に表示する測定データ数（チャネル数）が決定されると、まず、グラフ間隔の設定を行う。すなわち、表示画面中におけるグラフの上限値をUpLimit 、下限値をLowLimit、表示する測定データ数（チャネル数）をTrNum とすると、グラフの間隔Dis は、
Dis=(UpLimit-LowLimit)/(TrNum+1)
となる（Ｓ１）。
【００２５】
次に、各測定データ（トレンドグラフ）に加算するオフセット値を計算する。ｎ番目の測定データにおいて、その測定開始時の値をStartDataLevel(n) とすると、オフセット値Offset(n) は、
Offset(n)=(UpLimit-Dis*n)-StartDataLevel(n)
となる（Ｓ２）。
【００２６】
したがって、サンプリング処理部２により取り込まれる測定データをSampData(n) とすれば、各測定データに応じて生成されるトレンドデータTrData(n) は、
TrData(n)=SampData(n)+Offset(n)
として求められる（Ｓ３）。
このトレンドデータTrData(n) は、サンプリングに応じて、時系列データとして記憶される（Ｓ４）。
【００２７】
図３は、上記の動作を模式的に表した図である。図は、表示する測定データ数が２の場合を例示したものである。したがって、グラフ間隔Dis は、表示範囲を３等分したものとなり、各トレンドグラフTrData(1) 、TrData(2) がこの間隔をもって配置されるように、各オフセット値Offset(1) 、Offset(2) が決定される。
【００２８】
なお、図３においては、説明のために、２つの測定データSampData(1) 、SampData(2) の位置を変えて図示しているが、実際の横軸（時間軸）上の位置は、同じ位置である。
【００２９】
図４は、同様に、表示する測定データ数が３の場合を例示したものである。この場合、グラフ間隔Dis は、表示範囲を４等分したものとなる。
【００３０】
図５は、本発明のトレンドグラフ表示方法および装置による表示例を示すトレンドグラフである。
図から明らかなように、複数のトレンドグラフ（ＣＨ１〜ＣＨ３）は同一画面上に間隔をおいて配置されるようになり、トレンドグラフ間の重なりを回避して、個々の測定データにおける変化の様子（グラフ形状）を容易に観察することができる。
【実施例２】
【００３１】
図６は、本発明のトレンドグラフ表示方法および装置による他の表示例を示すトレンドグラフである。
前記した図５の表示例では、複数のトレンドグラフ（ＣＨ１〜ＣＨ３）を同一画面上に間隔をおいて配置する場合を例示したが、複数の測定データ（トレンドグラフ）を任意のグループに分け、各グループ別に間隔をおいて配置することもできる。
【００３２】
図６の例では、３つのトレンドグラフＣＨ１〜ＣＨ３を２つのグループに分け、ＣＨ１のみを独立に表示させている。この場合、各グループ毎に共通のオフセット値を加算することになり、ここでは、ＣＨ２とＣＨ３とに同じオフセット値が加算される。
【００３３】
このような表示形態においては、注目する測定データだけ（例えばＣＨ１）を独立に表示させたり、比較したい測定データ同士のみ（例えばＣＨ２とＣＨ３）を重ねて表示したりすることができる。
【実施例３】
【００３４】
図７は、本発明のトレンドグラフ表示方法および装置による他の表示例を示すトレンドグラフである。
図に示す例では、４つのトレンドグラフＣＨ１〜ＣＨ４を２つのグループに分け、それぞれのグループを間隔をおいて表示している。この場合も、各グループ毎に共通のオフセット値を加算することになり、ここでは、ＣＨ１とＣＨ４、ＣＨ２とＣＨ３にそれぞれ同じオフセット値が加算される。
【００３５】
このような表示形態においては、関連する測定データ同士をそれぞれグループに分け、見やすいまとまりとして表示を行うことができる。
【実施例４】
【００３６】
上記の説明においては、各測定データSampData(n) に加算するオフセット値Offset(n) を、トレンドグラフ表示開始時における測定データの値StartDataLevel(n) を基に設定する場合
StartDataLevel(n)=SampData(n)
を例示したが、オフセット値Offset(n) の決め方は、これに限られるものではなく、例えば、トレンドグラフ表示開始時における測定データの平均値を基に設定するようにしても、同様のトレンドグラフ表示を行わせることができる。
【００３７】
すなわち、測定データの平均値を基にオフセット値を設定すると、トレンドグラフ表示開始時においては、各グラフの始点がその測定データの大きさに応じて、上下にシフトしたものとなる。
このため、前記図６または図７に示すように、複数のトレンドグラフを重ねて表示させた場合には、トレンドグラフ間の大小関係が容易に分かり、大変有効である。
【実施例５】
【００３８】
図８は、表示部（タッチパネル）５における画面操作の一例を示す図である。図において、（ａ）は表示モード選択状態、（ｂ）はグラフ表示状態を示している。Ｍ１〜Ｍ４はモード選択キー、ＣＨ１〜ＣＨ６はチャネル選択キー、Ｇｒ１およびＧｒ２はグループ選択キーであり、これらは、タッチパネル上に割り付けられたソフトキーである。
【００３９】
表示する測定データ（トレンドグラフ）の選択は、チャネル選択モードにより行われる。キーＭ３（ＣＨ選択）に触れると、画面にはチャネル選択キーＣＨ１〜ＣＨ６およびグループ選択キーＧｒ１、Ｇｒ２が表示され、任意のチャネル選択キーに触れることにより、選択を行う。図示の例では、ＣＨ１〜ＣＨ３が選択されている。
【００４０】
ここで、Ｍ１は通常（従来）のトレンドグラフ表示モードを選択するキー、Ｍ２は本発明のトレンドグラフ表示モード（ここでは、積み上げトレンドグラフと表示）を選択するキーであり、キーＭ２に触れることにより、図８（ｂ）に示す如く、積み上げトレンドグラフが表示される。
なお、Ｍ４はサンプリング周期の設定モードを選択するキーであり、この設定モード（図示せず）において、画面上から任意のサンプリング周期を選択することができる。
【００４１】
また、図９は、複数の測定データをグループに分けてトレンドグラフ表示させる場合を例示したものである。図９（ａ）に示す例は、ＣＨ１をＧｒ１に割り付け、ＣＨ２、ＣＨ３をＧｒ２に割り付けた状態を示している。このようなグループへの割付は、チャネル選択キーＣＨ１〜ＣＨ６とグループ選択キーＧｒ１、Ｇｒ２とに交互に触れることにより行うことができる。
【００４２】
このような状態から、キーＭ２に触れることにより、図９（ｂ）に示す如き、積み上げトレンドグラフを表示させることができる。
【００４３】
なお、表示部（タッチパネル）５におけるソフトキーの割付状態およびその操作手順などは、上記の内容に限定されるものではなく、任意に変更が可能なものである。
【図面の簡単な説明】
【００４４】
【図１】図１は本発明のトレンドグラフ表示方法および装置の一実施例を示す構成図。
【図２】図２は本発明のトレンドグラフ表示方法および装置において、トレンドデータ処理部３における動作の一実施例を示すフロー図。
【図３】図３はトレンドデータ処理部３における動作を模式的に表した図。（TrNum=2）
【図４】図４はトレンドデータ処理部３における動作を模式的に表した図。（TrNum=3）
【図５】図５は本発明のトレンドグラフ表示方法および装置による表示例を示すトレンドグラフ。
【図６】図６は本発明のトレンドグラフ表示方法および装置による表示例を示すトレンドグラフ。
【図７】図７は本発明のトレンドグラフ表示方法および装置による表示例を示すトレンドグラフ。
【図８】図８は本発明のトレンドグラフ表示方法および装置において、表示部（タッチパネル）５における画面操作の一例を示す図。
【図９】図９は本発明のトレンドグラフ表示方法および装置において、表示部（タッチパネル）５における画面操作の一例を示す図。
【図１０】図１０は従来のトレンドグラフ表示装置の一例を示す構成図。
【図１１】図１１は従来のトレンドグラフ表示装置により表示されるトレンドグラフの一例を示す図。
【符号の説明】
【００４５】
１      プロセスデータ入力部
２      サンプリング処理部
３      トレンドデータ処理部
４      表示処理部
５      表示部（タッチパネル）
６      トレンドグラフ表示制御部
Ｍ１〜Ｍ４      モード選択キー
ＣＨ１〜ＣＨ６  チャネル選択キー
Ｇｒ１、Ｇｒ２  グループ選択キー
【図１】
2005351832.tif 000003
【図２】
2005351832.tif 000004
【図３】
2005351832.tif 000005
【図４】
2005351832.tif 000006
【図５】
2005351832.tif 000007
【図６】
2005351832.tif 000008
【図７】
2005351832.tif 000009
【図８】
2005351832.tif 000010
【図９】
2005351832.tif 000011
【図１０】
2005351832.tif 000012
【図１１】
2005351832.tif 000013